(57)【特許請求の範囲】
【請求項１】
携帯音楽プレーヤーやスマートフォンなどの携帯デバイスに装着するストラップ形状のイヤホンの絡まり防止具であり、ストラップの二本の紐を内部に通して摺動するスライダーを備えており、ストラップの二本の紐が終端部分から別々の方向に分岐し、前記スライダーを終端部分に向けて引き寄せることにより、ループ状にしたイヤホンコードを係止することを特徴とする、イヤホンの絡まり防止具。
【発明の詳細な説明】
【技術分野】
【０００１】
イヤホンの絡まり防止に関する
【背景技術】
【０００２】
従来、イヤホンの絡まりを防止する方法が開示されている（例えば、特許文献１を参照。）。この方法は、携帯音楽プレーヤーやスマートフォンなどの携帯デバイスの本体と関連してイヤホンコードを係止する点に於いて本願発明と類似する。
【０００３】
特許文献１では、小型音響機器上に雌雄面ファスナーを使用した混線防止具を備えていることにより、絡まりを防止する。一方、本願発明は携帯デバイスに取り付けられた提げ紐としてのストラップが絡まり防止機能を果たす。そのため特許文献１と本願発明は、絡まり防止の態様および方法において異なる。
【０００４】
特許文献２によると、ストラップと関連してイヤホンコードを係止する点に於いて本願発明と類似する。
【０００５】
特許文献２では、ストラップが付いた総合ハウジング部によってイヤホンを係止している。一方、本願発明は携帯デバイスに取り付けられた提げ紐としてのストラップが絡まり防止機能を果たす。そのため特許文献２と本願発明は、絡まり防止の態様および方法において異なる。
【０００６】
特許文献３によると、ストラップと関連してイヤホンコードを係止する点に於いて本願発明と類似する。
【０００７】
特許文献３では、ストラップが結合した連結ハウジング部によってイヤホンを係止している。一方、本願発明は携帯デバイスに取り付けられた提げ紐としてのストラップが絡まり防止機能を果たす。そのため特許文献３と本願発明は、絡まり防止の態様および方法において異なる。
【０００８】
特許文献４によると、携帯デバイスの本体と関連してイヤホンコードを係止する点に於いて本願発明と類似する。
【０００９】
特許文献４では、イヤホンコードを挟持する取付部を備えており、それを携帯機器に吸盤等で固定している。一方、本願発明は携帯デバイスに取り付けられた提げ紐としてのストラップが絡まり防止機能を果たす。そのため特許文献４と本願発明は、絡まり防止の態様および方法において異なる。
【００１０】
特許文献５によると、携帯デバイスの本体と関連してイヤホンコードを係止する点に於いて本願発明と類似する。
【００１１】
特許文献５では、収束部をイヤホンジャックに備えており、それによりイヤホンを収束する。一方、本願発明は携帯デバイスに取り付けられた提げ紐としてのストラップが絡まり防止機能を果たす。そのため特許文献５と本願発明は、絡まり防止の態様および方法において異なる。
【先行技術文献】
【特許文献】
【００１２】
【特許文献１】特開平１０−０２３５８７公報（第２頁、第６頁）
【特許文献２】特開２００８−３０６５３０公報（第２頁、第１１頁）
【特許文献３】特開２００９−０２７６２１公報（第２頁、第１０頁）
【特許文献４】特開２００９−２１２９１８公報（第２頁、第９頁）
【特許文献５】特開２０１３−１０２４０４公報（第２頁、第６頁）
【発明の概要】
【発明が解決しようとする課題】
【００１３】
各種の携帯デバイスに対応してイヤホンは現在多用されている。一部にはコードレスのイヤホンが利用されているものの、その主流はコード付きのイヤホンである。
【００１４】
市販されているイヤホンコード長は通常６０ｃｍから１２０ｃｍ程度であり、イヤホンを使い終わって絡まり防止をせずに収納すると、次回使用時には絡まっていて、難渋する。
【００１５】
簡単な仕組みで操作が容易な、それでいて、失敗が少なく、かつ多様な携帯デバイスにも適用できる安価なイヤホンのからまり防止手段を実現できれば、携帯デバイス利用者にとって不満の解消となることは想像に難くない。本願発明はそういった要請に応えるものである。
【課題を解決するための手段】
【００１６】
上記課題を解決するために、請求項１の発明は、携帯音楽プレーヤーやスマートフォンなどの携帯デバイスに装着するストラップ形状のイヤホンの絡まり防止具であり、ストラップの二本の紐を内部に通して摺動するスライダーを備えており、ストラップの二本の紐が終端部分から別々の方向に分岐し、前記スライダーを終端部分に向けて引き寄せることにより、ループ状にしたイヤホンコードを係止することを要旨とする。
【発明の効果】
【００１７】
本願発明によれば、第一の効果として、携帯デバイスに装着する提げ紐としてのストラップに、これまで具備されることのなかったイヤホンの絡まり防止機能を付加することができる。
【００１８】
実際に使い終えたイヤホンコードを係止するときには、一方の手が携帯デバイスを保持するため、他方の手だけで行う必要がある。第二の効果は、イヤホンコードの差し入れ口を手で広げるのではなく、自然に開くようなっているので操作上便利なことである。
【００１９】
イヤホンコードをループ状にして、その根元を係止するので、そのループは質量の大きいイヤホンに向かい下向きとなる。第三の効果は、ループの膨らみがイヤホンに対し上に位置するので、イヤホンコードが係止箇所から抜け落ち難いことである。そのため、使い終えたイヤホンを本願発明を使って鞄やポケットの中に収めたとき、イヤホンコードが解けたりバラけたりする失敗が少ない。
【００２０】
ストラップを通す孔は、携帯デバイスの本体や、それに取り付けるケースに用意されていることが多いので、特定の機器に限ることなく、本願発明を広ひろく利用できる。
【図面の簡単な説明】
【００２１】
【図１】普通のストラップの上面図
【図２】本発明の上面図その１
【図３】本発明の上面図その２
【図４】本発明の上面図その３
【図５】本発明の見取図その１
【図６】本発明の見取図その２
【発明を実施するための形態】
【００２２】
図１はイヤホンの絡まり防止機能のない普通のストラップの上面図である。終端部品３０はストラップの先端(（図面の右側）から見て縦方向に取り付けられており、細い２本の紐１０が終端部品３０の１点の孔から同じ方向へ出ている。提げ紐としてのストラップが、その形状から「松葉紐」と通称される所以である。小型で細い筒状の終端部品３０の内部で紐１１（終端部品内部）が結線されて結線玉１２（終端部品内部）を形成して、終端部品３０から紐１０が抜けないようになっている。尚、紐１０と紐１１（終端部品内部）はつながった一本の紐である。また、ストラップの先端が携帯デバイスに取り付けらる。
【００２３】
図２は本発明の一例の上面図である。スライダー２０は紐１０をその内部に通して備えられており、紐１０上を摺動できるようになっている。紐１０が出てきている終端部品３０の孔に蓋部品３１を挿入して紐１０を別々の方向へ分岐させることにより、紐１０がスライダー２０に向かって自然にループ状に開口している。図２の方法によれば、他に手を加えなくても従来のストラップのキャラクター用品９０などを取り付ける機能を維持しながら、イヤホンの絡まり防止の機能を併用することができる。
【００２４】
図３は本発明の他例の上面図である。紐１０上をスライダー２０が摺動するように備えられているのは、図２例と同様であるが、ストラップの先端から見て横向きに変えた終端部品３０を備えており、その内部で紐１０が結線されている。この終端部品３０から２本の紐１０は別々の方向に分岐しており、スライダー２０に向かって自然にループ状に開口しているのも、図２例と同様である。
【００２５】
図４は図２の例を前提とし、イヤホンコード８０が係止されたときの上面図である。イヤホンのすぐ下の部分をループ状に曲げられた（図６を参照）イヤホンコード８０は図２で説明した紐１０の開口部分から差し入れられる。スライダー２０を終端部品３０に向けて摺動することでイヤホンコード８０は蓋部品３１とスライダー２０とによって挟み込まれ、紐１０で締め込まれる。
【００２６】
図５は本願発明を携帯デバイス６０に装着した見取図である。イヤホンコードを係止するためには、紐１０の開口部を手で広げるのではなく、スライダー２０が携帯デバイス６０の側にあるとき、終端部品３０により紐１０はスライダー２０に向かって自然に開口する。
【００２７】
図６はイヤホンコード８０が係止された見取図である。２本のイヤホンコード８０はループして係止される。下向きのループ形状であるためと、係止箇所で合計４本のイヤホンコード８０が密集し摩擦し合うため、係止箇所からの抜け落ちを二重に防止する。このようにループさせてイヤホンコード８０をスライダー２０と終端部品３０と紐１０により係止する方法で、失敗の少ない絡まり防止を実現できる。
【産業上の利用可能性】
【００２８】
イヤホンが使用される携帯デバイスは社会の隅々にまで普及している。そのために、イヤホンは日常欠かすことのできない装置である。特に、今日はモバイル時代の最中にあり、外出中イヤホンの収納は頻繁に発生する。よって、仕組みが単純で使い易く、効果の高いイヤホンの絡まり防止具を実現できるので、本願発明は一人ひとりの利用者にとって便益となる。また、同時に、数多くの利用者と、さらに数の多い機器が存在することから、産業と社会全体において役立つ可能性がある。
【符号の説明】
【００２９】
１０  紐
１１  紐（終端部品内部）
１２  結線玉（終端部品内部）
２０  スライダー
３０  終端部品
３１  蓋部品
５０  イヤホンジャック
６０  携帯デバイス
７０  イヤホン
８０  イヤホンコード
９０  キャラクター用品
９１  接続部品
【要約】
【課題】簡単な仕組みで操作が容易な、それでいて、失敗が少なく、かつ多様な携帯デバイスにも適用できる安価なイヤホンのからまり防止手段を実現できれば、携帯デバイス利用者にとって不満の解消となることは想像に難くない。本願発明はそういった要請に応えるものである。
【解決手段】携帯音楽プレーヤーやスマートフォンなどの携帯デバイスに装着するストラップ形状のイヤホンの絡まり防止具であり、ストラップの二本の紐を内部に通して摺動するスライダーを備えており、ストラップの二本の紐が終端部分から別々の方向に分岐し、前記スライダーを終端部分に向けて引き寄せることにより、ループ状にしたイヤホンコードを係止するイヤホンの絡まり防止具。
【選択図】図４【図１】
0005457601.tif 000002
【図２】
0005457601.tif 000003
【図３】
0005457601.tif 000004
【図４】
0005457601.tif 000005
【図５】
0005457601.tif 000006
【図６】
0005457601.tif 000007